(57)【要約】【課題】テンションメンバーの固定および固定解除時にはねじの締め付け／緩め作業が発生し、締結用の機材と相当の工数が必要とされた。また、装置内においてテンションメンバーの先端が剥き出しとなっており、破損やショートが引き起こされるおそれがあった。【解決手段】軸支片２により挟み込まれ、可動片１０の一端が回動可能に軸支されている。可動片１０は内部が中空の半円筒状に形成されており、先端部にはスリット１３が、後部には大きな開放孔が形成されている。また可動片１０の内壁には断面Ｉ字形状の上歯部１３が形成されている。可動片１０のもう一端には、断面コ字形状のロックレバー体２０が鞍状に被せられ、軸１２によって回動可能に軸支されている。ロックレバー体２０の開放端にはツマミ部が形成され、また軸１２の近傍には、ロックレバー体２０に対して回動可能に、Ｕ字状のフック２１が軸支されている。【選択図】    図１
2005024789.tif 000002
【特許請求の範囲】
【請求項１】
装置本体に固定され、テンションメンバーを載置する下歯部が形成されたベースと、
前記ベースの一端の両脇部分に垂直に屹立して形成される一対の軸支持片と、
前記一対の軸支持片に挟み込まれるように前記ベースの前後方向に回動可能に軸支され、内壁の前記下歯部と対応する位置に上歯部が形成された中空半筒状の可動体と、
前記可動体の自由端側に載置され、該可動体に対して揺動可能に一端部を軸支された鞍型形状のロックレバー体と、
前記ロックレバー体を両脇から挟みこんで枢着されたリング状のフックとにより構成され、
前記テンションメンバーを前記ベース及び前記可動体の間に挿入し、前記フックを前記ベースに架け渡して前記ロックレバー体を押し倒すことにより、該テンションメンバーを前記上歯部と前記下歯部で挟持固定することを特徴とするテンションメンバー固定具。
【請求項２】
前記ベースの、前記軸支持片が形成されていない側に、
テンションメンバー端保護壁が垂直に屹立して形成されていることを特徴とする、請求項１記載のテンションメンバー固定具。
【請求項３】
前記可動体に前記テンションメンバーをガイドするスリットを形成してなることを特徴とする、請求項１もしくは請求項２記載のテンションメンバー固定具。
【発明の詳細な説明】
【０００１】
【発明の属する技術分野】
本発明は、屋外または屋内の電子通信機器に配線する光ファイバケーブルの接続固定具に関し、特に光ファイバケーブル線材のテンションメンバーを把持固定するテンションメンバー固定具に関する。
【０００２】
【従来の技術】
心線とテンションメンバーを有する光ファイバケーブルの接続に際しては、テンションメンバーを把持固定することが不可欠である。このため従来では、光ファイバケーブル接続用収納ケースにねじ穴を形成し、このねじ穴に螺合するねじ部材にテンションメンバーの端部を巻き付けた後、工具を用いて固定する処理が一般的であった。
【０００３】
しかしながら、従来の光ファイバケーブルの端部処理のためにはケーブル被膜の剥離やねじに巻き付けるための曲げ加工などが必要となる。そこで心線を取り出す際には、この加工分を見越して光ファイバケーブルを長めに切断し、固定処理の際にはテンションメンバーを心線から裂いて先端部の被覆を剥がし、露出したテンションメンバー端部をねじに巻き付け固定する作業が行われていたが、各ケーブルに対してこのような作業を行うことは工数面で多大な負担を作業者に強いるものであった。
【０００４】
また、ねじ部材は時間経過に伴い緩みを生じやすく、固定されたテンションメンバーが外れるおそれがあるという問題もあった。
【０００５】
このような問題を解消するため、例えば特開平９−３１１２２９号公報「光ケーブル固定具」に記載された技術に代表される、固定処理が簡易でかつ外れにくいテンションメンバー固定具も提供されている。以下この先行技術について図６を用いて内容を簡単に説明する。
【０００６】
連結棒上に立設状態に固着された固定部１０１に、回転プレート１０２が軸支ねじ１０３によって、テンションメンバー３０に対して垂直の軸線をもって回転可能に軸支されている。この回転プレート１０２は概略長方形の高い剛性を有する板材であり、長手方向の一端に軸支ねじ１０３の貫通する軸穴１０４が、また長手方向の他端には片側の長辺から凹字状に切り欠かれた抜き穴１０５がそれぞれ形成されている。この抜き穴１０５は、固定部１０１に対して軸支ねじ１０３と同様に螺合された係合ねじ１０６の径よりわずかに広い幅で、回転プレート１０２を回転させた際、係合ねじ１０６とわずかな緩みをもって嵌合するような位置に形成されている。テンションメンバー３０の把持固定時は、回転プレート１０２を回転させて係合ねじ１０６に係合させた後、軸支ねじ１０３および係合ねじ１０６を締め付けて、回転プレート１０２の回転を規制する。この回転プレート１０２と固定部１０１の間隙にテンションメンバー３０を挟み込み、軸支ねじ１０３および係合ねじ１０６を更に締め付けることによってテンションメンバー３０が固定される。
【０００７】
【発明が解決しようとする課題】
しかしながら、上述した従来のテンションメンバー固定具では、端部をねじに直接巻き付ける構成は採っていないものの、テンションメンバー固定の手段としてはねじが使用されているため、固定および固定解除時にはねじの締め付け／緩め作業が発生していた。この作業については締結用の工具が必要とされ、またある程度の工数が割かれることは避けがたかった。
【０００８】
また多数のねじの締め付けを行わなければならない場合、作業効率を考えれば全てのねじを同種のもので揃えることが望ましいが、これは反面、ねじの締め忘れという事態を引き起こし易くする一つの要因となっていた。
【０００９】
さらに、テンションメンバーの端部自体は挟み込むことで押さえられるが、装置内においてテンションメンバーの先端が剥き出しとなっており、この先端が工具等と接触して傷ついたり、ショートを引き起こしたりするケースが皆無とは言えず、光ファイバケーブル保護の面で一抹の不安を残すものであった。
【００１０】
本発明は、このような課題を解消し、工具を必要とせず簡易に固定作業が実現され、しかも固定作業がそのままテンションメンバー端部の保護作業に繋がる構造をもつテンションメンバー固定具を提供することを目的としている。
【００１１】
【課題を解決するための手段】
以上の課題を鑑み、本発明のテンションメンバー固定具は、装置本体に固定され、テンションメンバーを載置する下歯部が形成されたベースと、前記ベースの一端の両脇部分に垂直に屹立して形成される一対の軸支持片と、前記一対の軸支持片に挟み込まれるように前記ベースの前後方向に回動可能に軸支され、内壁の前記下歯部と対応する位置に上歯部が形成された中空半筒状の可動体と、前記可動体の自由端側に載置され、該可動体に対して揺動可能に一端部を軸支された鞍型形状のロックレバー体と、前記ロックレバー体を両脇から挟みこんで枢着されたリング状のフックとにより構成され、前記テンションメンバーを前記ベース及び前記可動体の間に挿入し、前記フックを前記ベースに架け渡して前記ロックレバー体を押し倒すことにより、該テンションメンバーを前記上歯部と前記下歯部で挟持固定することを特徴としている。
【００１２】
また、本発明の第二の構成例としては、上述の構成に加えて前記ベースの、前記軸支持片が形成されていない側にテンションメンバー端保護壁が垂直に屹立して形成されていることを特徴としている。
【００１３】
さらに、本発明の第三の構成例としては、第一あるいは第二の構成例に加えて、前記可動体に前記テンションメンバーをガイドするスリットを形成してなることを特徴としている。
【００１４】
【特許文献１】
特開平９−３１１２２９号公報
【００１５】
【発明の実施の形態】
以下、本発明の実施形態について、図面を参照して詳細に説明する。
図１は本発明のテンションメンバー固定具の構成を示す斜視図である。細長い板状の鋼材により、固定部１が形成されている。固定部１の片側は鉤状に屈曲し、先端部分は保護壁４として、段状となっている部分の高い方の段の水平面を若干越えるよう垂直方向に屹立している。
【００１６】
固定部１の水平部分の高い方の段には、固定用のネジ穴６が長手方向に並んで２つ穿設されており、このネジ穴の間に断面Ｌ字形状の下歯部５が設けられている。また、固定部１の高い段の両脇には、軸支片２が形成されている。そして水平部分の低い段には、蒲鉾型に屈曲された凹溝３が形成されている。
【００１７】
固定部１の両軸支片２により挟み込まれ、可動片１０の一端が軸１１によって回動可能に軸支されている。可動片１０は内部が中空の半円筒状に形成されており、その先端部（図中右側）にはスリット１３が、そして後部（図中左側）には大きな開放孔が形成されている。また、可動片１０の内壁には、図３に示すように、可動片１０が固定部１に対して覆い被さる状態まで回動したとき、上下方向には固定部１に形成された下歯部５との間にわずかな間隙を残し、固定部１の長手方向には若干ずれつつ噛み合うような位置関係で、断面Ｉ字形状の上歯部１３が形成されている。
【００１８】
可動片１０のもう一端には、断面コ字形状のロックレバー体２０が鞍状に被せられ、軸１２によって回動可能に軸支されている。ロックレバー体２０の開放端にはツマミ部が形成され、また軸１２の近傍には、ロックレバー体２０に対して回動可能に、Ｕ字状のフック２１が軸支されている。
【００１９】
続いて本発明のテンションメンバー固定具の固定動作について、図面を参照して説明する。
【００２０】
固定部１を、装置本体（図示せず）に対し、ネジ等の締結手段により固定する。この状態から図４に示すように、可動片１０を開放側（図中における反時計回り）に回動させ、光ファイバケーブル３０を、後端部分の開放孔から、固定部１に形成された下歯部５の上を通過し、さらにスリット１４を通して先端のテンションメンバーが保護壁４に突き当たる状態になるまで挿入する。スリット１４はテンションメンバーの径よりわずかに広い幅を有しており、またスリット１４は保護壁４先端部分の水平面よりわずかに低い位置にまで切り込みが入れられている。
【００２１】
光ファイバケーブル３０を挿入した後、可動片１０を時計回りに回動させると、挿入された光ファイバケーブル３０が可動片１０内壁の上歯部１３と下歯部５とによって挟持される。これにより光ファイバケーブル３０の抜けが防止される。このときロックレバー体２０を、図５に示すように、時計回り方向へわずかな傾きをもって回動させ、保護壁４をフック２１にくぐらせる。さらにロックレバー体２１を時計回りに回動させると、フック２１は固定部１の水平下段部分に形成された凹溝３と嵌合する。
【００２２】
この状態から、ロックレバー体２０を反時計回りに回動させると、フック２１の先端は固定部１の凹溝３と嵌合したまま、ロックレバー体２０のみが回動し、最終的には図２に示すように、可動片１０が連結されたロックレバー体２０と固定部１とで挟み込まれて固定される。この際、テンションメンバーの先端部分は保護壁によって保護され、またスリットによってテンションメンバー自体の不要なばたつき動作も規制されており、工具等と接触して傷ついたり、ショートを起こしたりすることが防止される。
【００２３】
この固定状態を解除する際には、ロックレバー体２０に形成されたつまみ部を持ち、図５における時計回り方向に回動させてフック２１と凹溝３の嵌合を解除し、しかる後にフック２１を反時計回りに回動させ、固定部１との連結状態を解除する。これによって可動片１０が反時計回りに回転可能となり、上歯部１３と下歯部５による光ファイバケーブル３０の挟持状態が解除される。
【００２４】
なお、本実施形態においては固定部１、可動片１０およびロックレバー体２０が鋼材によって形成されている例について説明してきたが、この素材についてはプラスティック等の、従来の固定具の構成材料として既知であり、かつ本固定具に必要とされる弾性や加工性の条件を満たし得る素材を適宜選択可能することが可能である。
【００２５】
また、本実施形態においては垂直に屹立した保護壁の例について説明してきたが、テンションメンバー先端に対して庇状になるよう、さらに内側に折り曲げる構成としてもよい。さらに、本実施形態においてはフックと凹溝の嵌合によりロックレバー体と固定部の連結を実現しているが、フックに凸状のピン、固定部にこのピン径よりわずかに径の広い位置決め用の穴を形成するなど、この種の締結機構で用いられる既知の嵌合手段を適宜選択可能なことについても言うまでもない。
【００２６】
【発明の効果】
以上説明してきたとおり、本発明のテンションメンバー固定具によれば、固定部とロックレバーの連結で可動片を挟み込み、この可動片と固定部の間でテンションメンバーを固定するという構造、及び固定作業がそのままテンションメンバー端部の保護作業に繋がるという構造を採っているため、テンションメンバーの固定／解除動作及び保護動作を、なんらの工具を必要とせず、ロックレバーの操作のみで行い得るという効果を奏する。
【００２７】
また、上歯部と下歯部の間隙や配置、可動片及びロックレバーに形成する軸穴の配置等の要素によって、同一の固定具であればロックレバーの操作のみで一様なテンションでの固定が行えるという効果も奏する。これらのことにより、作業効率を大幅に向上させることが可能となる。
【図面の簡単な説明】
【図１】本発明のテンションメンバー固定具の実施形態における外観斜視図である。
【図２】本発明の実施形態における正面図である。
【図３】図１におけるＡ−Ａ’断面図である。
【図４】テンションメンバー固定具による、テンションメンバーのロック解除状態を示す斜視図である。
【図５】テンションメンバーのロック動作を示す斜視図である。
【図６】従来のテンションメンバー固定具の構成を示す図である。
【符号の説明】
１    固定部
２    軸支片
３    凹溝
４    保護壁
５    下歯部
６    ネジ穴
１０    可動片
１１    軸
１２    軸
１３    上歯部
１４    スリット
２０    ロックレバー体
２１    フック
３０    光ファイバケーブル
【図１】
2005024789.tif 000003
【図２】
2005024789.tif 000004
【図３】
2005024789.tif 000005
【図４】
2005024789.tif 000006
【図５】
2005024789.tif 000007
【図６】
2005024789.tif 000008